(57)【要約】  ここに示された技術は、モニタされたＶｏＩＰ送信に基づいたサイレンスを検知する場合に低電力状態に自動的に入ることを無線デバイス（例えば、移動局、ＭＳ）に許可する。低電力状態に自動的に入ることは、無線デバイスが電力を保存するのを支援できる。さらに、システム（例えば、ＵＧＳ（Unsolicited Grant Service）またはＥｒｔＰＳ（Extended Real Time Polling Service））の内部から無線デバイスに帯域幅が割り当てられる、あるタイプのスケジューリングサービスについては、サイレンスが検知される場合に低電力状態に自動的に入ることは、さらにシステムでの他の無線デバイスへの割り当てのための帯域幅の制限を解くことができる（つまり、それは、別の方法では、低電力状態に入る無線デバイスに割り当てられていただろう）。【選択図】図１
2011523543.tif 000002
【特許請求の範囲】
【請求項１】
スケジューリングサービスに従って動作することと、
サイレンスを検知するために、ボイスオーバーインターネットプロトコル（ＶｏＩＰ）トラフィックをモニタすることと、
少なくとも前記検知されたサイレンスに応じて、省電力モードに自動的に入ることと、
を具備する無線デバイスで省電力モードを使用する方法。
【請求項２】
前記スケジューリングサービスは、ＵＧＳ（Unsolicited Grant Service）を含み、
前記無線デバイスは、前記省電力モードの間、帯域幅を割り当てられない、
請求項１の方法。
【請求項３】
前記省電力モードに入った後に、非サイレンスを検知するために、前記ＶｏＩＰトラフィックを定期的に再びモニタすることと、
少なくとも前記検知された非サイレンスに応じて、前記省電力モードから自動的に抜け出すことと、
をさらに具備する、請求項２の方法。
【請求項４】
前記スケジューリングサービスは、ＥｒｔＰＳ（Extended Real Time Polling Service）を含み、
前記無線デバイスは、前記省電力モードの間に割り当てられた帯域幅の量を減らすために、前記省電力モードに入る前に、リクエストを送信する、
請求項１の方法。
【請求項５】
前記省電力モードに入った後に、非サイレンスを検知するために、前記ＶｏＩＰトラフィックを定期的に再びモニタすることと、
少なくとも前記検知された非サイレンスに応じて、前記省電力モードから自動的に抜け出すことと、
をさらに具備する、請求項４の方法。
【請求項６】
前記省電力モードに自動的に入る前に、前記省電力モードに入るために、リクエストを送信することをさらに具備する、請求項１の方法。
【請求項７】
前記省電力モードは、省電力クラス型ＩＩ低電力状態を含んでいる、請求項６の方法。
【請求項８】
前記省電力モードに入った後に、非サイレンスを検知するために、前記ＶｏＩＰトラフィックを定期的に再びモニタすることと、
少なくとも前記検知された非サイレンスに応じて、前記省電力モードから自動的に抜け出すことと、
さらに具備する、請求項１の方法。
【請求項９】
前記無線デバイスは、標準規格のＩＥＥＥ８０２．１６標準群の１つ以上に従ってフレームを使用して通信し、
前記省電力モードは、前記標準規格のＩＥＥＥ８０２．１６標準群の１つ以上に従う、
請求項１の方法。
【請求項１０】
スケジューリングサービスに従って動作するためのロジックと、
サイレンスを検知するために、ボイスオーバーインターネットプロトコル（ＶｏＩＰ）トラフィックをモニタするためのロジックと、
少なくとも前記検知されたサイレンスに応じて、省電力モードに自動的に入るためのロジックと、
を具備する、省電力モードを使用するように構成された装置。
【請求項１１】
前記スケジューリングサービスは、ＵＧＳ（Unsolicited Grant Service）を含み、
前記装置は、前記省電力モードの間、帯域幅を割り当てられない、
請求項１０の装置。
【請求項１２】
前記省電力モードに入った後に、非サイレンスを検知するために、前記ＶｏＩＰトラフィックを定期的に再びモニタするためのロジックと、
少なくとも前記検知された非サイレンスに応じて、前記省電力モードから自動的に抜け出すためのロジックと、
さらに具備する請求項１１の装置。
【請求項１３】
前記スケジューリングサービスは、ＥｒｔＰＳ（Extended Real Time Polling Service）を含み、
前記装置は、前記省電力モードの間に割り当てられた帯域幅の量を減らすために、前記省電力モードに入る前に、リクエストを送信するためのロジックを含む、
請求項１０の装置。
【請求項１４】
前記省電力モードに入った後に、非サイレンスを検知するために、前記ＶｏＩＰトラフィックを定期的に再びモニタするためのロジックと、
少なくとも前記検知された非サイレンスに応じて、前記省電力モードから自動的に抜け出すためのロジックと、
さらに具備する請求項１３の装置。
【請求項１５】
前記省電力モードに自動的に入る前に、前記省電力モードに入るために、リクエストを送信するためのロジックをさらに具備する、請求項１０の装置。
【請求項１６】
前記省電力モードは、省電力クラス型ＩＩ低電力状態を含んでいる、請求項１５の装置。
【請求項１７】
前記省電力モードに入った後に、非サイレンスを検知するために、前記ＶｏＩＰトラフィックを定期的に再びモニタするためのロジックと、
少なくとも前記検知された非サイレンスに応じて、前記省電力モードから自動的に抜け出すためのロジックと、
さらに具備する請求項１０の装置。
【請求項１８】
前記装置は、標準規格のＩＥＥＥ８０２．１６標準群の１つ以上に従ってフレームを使用して通信するためのロジックを含み、
前記省電力モードは、前記標準規格のＩＥＥＥ８０２．１６標準群の１つ以上に従う、
請求項１０の装置。
【請求項１９】
スケジューリングサービスに従って動作するための手段と、
サイレンスを検知するために、ボイスオーバーインターネットプロトコル（ＶｏＩＰ）トラフィックをモニタするための手段と、
少なくとも前記検知されたサイレンスに応じて、省電力モードに自動的に入るための手段と、
を具備する、省電力モードを使用するように構成された無線通信用の装置。
【請求項２０】
前記スケジューリングサービスは、ＵＧＳ（Unsolicited Grant Service）を含み、
前記装置は、前記省電力モードの間、帯域幅を割り当てられない、
請求項１９の装置。
【請求項２１】
前記省電力モードに入った後に、非サイレンスを検知するために、前記ＶｏＩＰトラフィックを定期的に再びモニタするための手段と、
少なくとも前記検知された非サイレンスに応じて、前記省電力モードから自動的に抜け出すための手段と、
さらに具備する請求項２０の装置。
【請求項２２】
前記スケジューリングサービスは、ＥｒｔＰＳ（Extended Real Time Polling Service）を含み、
前記装置は、前記省電力モードの間に割り当てられた帯域幅の量を減らすために、前記省電力モードに入る前に、リクエストを送信するための手段を含む、
請求項１９の装置。
【請求項２３】
前記省電力モードに入った後に、非サイレンスを検知するために、前記ＶｏＩＰトラフィックを定期的に再びモニタするための手段と、
少なくとも前記検知された非サイレンスに応じて、前記省電力モードから自動的に抜け出すための手段と、
さらに具備する請求項２２の装置。
【請求項２４】
前記省電力モードに自動的に入る前に、前記省電力モードに入るために、リクエストを送信するための手段をさらに具備する、請求項１９の装置。
【請求項２５】
前記省電力モードは、省電力クラス型ＩＩ低電力状態を含んでいる、請求項２４の装置。
【請求項２６】
前記省電力モードに入った後に、非サイレンスを検知するために、前記ＶｏＩＰトラフィックを定期的に再びモニタするための手段と、
少なくとも前記検知された非サイレンスに応じて、前記省電力モードから自動的に抜け出すための手段と、
さらに具備する請求項１９の装置。
【請求項２７】
前記装置は、標準規格のＩＥＥＥ８０２．１６標準群の１つ以上に従ってフレームを使用して通信するための手段を含み、
前記省電力モードは、前記標準規格のＩＥＥＥ８０２．１６標準群の１つ以上に従う、
請求項１９の装置。
【請求項２８】
その上に格納された命令のセットを有するコンピュータ可読媒体を具備する無線デバイスで省電力モードを使用するためのコンピュータプログラムプロダクトであって、
前記命令のセットは、１つ以上のプロセッサによって実行可能であり、
前記命令のセットは、
スケジューリングサービスに従って動作するための命令と、
サイレンスを検知するために、ボイスオーバーインターネットプロトコル（ＶｏＩＰ）トラフィックをモニタするための命令と、
少なくとも前記検知されたサイレンスに応じて、省電力モードに自動的に入るための命令と、
を具備する、コンピュータプログラムプロダクト。
【請求項２９】
前記スケジューリングサービスは、ＵＧＳ（Unsolicited Grant Service）を含み、
前記無線デバイスは、前記省電力モードの間、帯域幅を割り当てられない、
請求項２８のコンピュータプログラムプロダクト。
【請求項３０】
前記命令のセットは、
前記省電力モードに入った後に、非サイレンスを検知するために、前記ＶｏＩＰトラフィックを定期的に再びモニタするための命令と、
少なくとも前記検知された非サイレンスに応じて、前記省電力モードから自動的に抜け出すための命令と、
をさらに具備する、請求項２９のコンピュータプログラムプロダクト。
【請求項３１】
前記スケジューリングサービスは、ＥｒｔＰＳ（Extended Real Time Polling Service）を含み、
前記命令のセットは、前記省電力モードの間に割り当てられた帯域幅の量を減らすために、前記省電力モードに入る前に、リクエストを送信するための命令を含む、
請求項２８のコンピュータプログラムプロダクト。
【請求項３２】
前記命令のセットは、
前記省電力モードに入った後に、非サイレンスを検知するために、前記ＶｏＩＰトラフィックを定期的に再びモニタするための命令と、
少なくとも前記検知された非サイレンスに応じて、前記省電力モードから自動的に抜け出すための命令と、
さらに具備する、請求項３１のコンピュータプログラムプロダクト。
【請求項３３】
前記命令のセットは、前記省電力モードに自動的に入る前に、前記省電力モードに入るために、リクエストを送信するための命令をさらに具備する、請求項２８のコンピュータプログラムプロダクト。
【請求項３４】
前記省電力モードは、省電力クラス型ＩＩ低電力状態を含んでいる、請求項３３のコンピュータプログラムプロダクト。
【請求項３５】
前記命令のセットは、
前記省電力モードに入った後に、非サイレンスを検知するために、前記ＶｏＩＰトラフィックを定期的に再びモニタするための命令と、
少なくとも前記検知された非サイレンスに応じて、前記省電力モードから自動的に抜け出すための命令と、
さらに具備する、請求項２８のコンピュータプログラムプロダクト。
【請求項３６】
前記命令のセットは、標準規格のＩＥＥＥ８０２．１６標準群の１つ以上に従ってフレームを使用して通信するための命令を含み、
前記省電力モードは、前記標準規格のＩＥＥＥ８０２．１６標準群の１つ以上に従う、
請求項２８のコンピュータプログラムプロダクト。
【請求項３７】
スケジューリングサービスに従って動作することと、
割り込み可能なサイレンス抑制モードを備えたボイスオーバーインターネットプロトコル（ＶｏＩＰ）呼び出しのための接続を確立することと、
前記接続の確立と同時に、省電力モードに自動的に入ることと、
所定条件のセットから選ばれた少なくとも１つの条件が満たされるまで、前記省電力モードを維持することと、
を具備する、無線デバイスで省電力モードを使用する方法。
【請求項３８】
前記所定条件のセットは、
前記ＶｏＩＰ呼び出しの終了と、
前記省電力モードから抜け出すために、前記無線デバイス用のリクエストの受信と、
前記省電力モードの間、前記ＶｏＩＰ呼び出しのためのサービス品質（ＱｏＳ）パラメータを満たすことができないことの決定と、
の１つ以上を含んでいる、請求項３７の方法。
【請求項３９】
前記スケジューリングサービスは、ＵＧＳ（Unsolicited Grant Service）を含み、
前記無線デバイスは、前記省電力モードの間、帯域幅を割り当てられない、
請求項３７の方法。
【請求項４０】
前記スケジューリングサービスは、ＥｒｔＰＳ（Extended Real Time Polling Service）を含み、
前記無線デバイスは、前記省電力モードの間に割り当てられた帯域幅の量を減らすために、前記省電力モードに入る前に、リクエストを送信する、
請求項３７の方法。
【請求項４１】
前記省電力モードは、省電力クラス型ＩＩ低電力状態を含んでいる、請求項３７の方法。
【請求項４２】
スケジューリングサービスに従って動作するためのロジックと、
割り込み可能なサイレンス抑制モードを備えたボイスオーバーインターネットプロトコル（ＶｏＩＰ）呼び出しのための接続を確立するためのロジックと、
前記接続の確立と同時に、省電力モードに自動的に入るためのロジックと、
所定条件のセットから選ばれた少なくとも１つの条件が満たされるまで、前記省電力モードを維持するためのロジックと、
を具備する、省電力モードを使用するように構成された装置。
【請求項４３】
前記所定条件のセットは、
前記ＶｏＩＰ呼び出しの終了と、
前記省電力モードから抜け出すために、前記装置用のリクエストの受信と、
前記省電力モードの間、前記ＶｏＩＰ呼び出しのためのサービス品質（ＱｏＳ）パラメータを満たすことができないことの決定と、
の１つ以上を含んでいる、請求項４２の装置。
【請求項４４】
前記スケジューリングサービスは、ＵＧＳ（Unsolicited Grant Service）を含み、
前記装置は、前記省電力モードの間、帯域幅を割り当てられない、
請求項４２の装置。
【請求項４５】
前記スケジューリングサービスは、ＥｒｔＰＳ（Extended Real Time Polling Service）を含み、
前記装置は、前記省電力モードの間に割り当てられた帯域幅の量を減らすために、前記省電力モードに入る前に、リクエストを送信するためのロジックを含んでいる、
請求項４２の装置。
【請求項４６】
前記省電力モードは、省電力クラス型ＩＩ低電力状態を含んでいる、請求項４２の装置。
【請求項４７】
スケジューリングサービスに従って動作するための手段と、
割り込み可能なサイレンス抑制モードを備えたボイスオーバーインターネットプロトコル（ＶｏＩＰ）呼び出しのための接続を確立するための手段と、
前記接続の確立と同時に、省電力モードに自動的に入るための手段と、
所定条件のセットから選ばれた少なくとも１つの条件が満たされるまで、前記省電力モードを維持するための手段と、
を具備する、省電力モードを使用するように構成された無線通信用の装置。
【請求項４８】
前記所定条件のセットは、
前記ＶｏＩＰ呼び出しの終了と、
前記省電力モードから抜け出すために、前記装置用のリクエストの受信と、
前記省電力モードの間、前記ＶｏＩＰ呼び出しのためのサービス品質（ＱｏＳ）パラメータを満たすことができないことの決定と、
の１つ以上を含んでいる、請求項４７の装置。
【請求項４９】
前記スケジューリングサービスは、ＵＧＳ（Unsolicited Grant Service）を含み、
前記装置は、前記省電力モードの間、帯域幅を割り当てられない、
請求項４７の装置。
【請求項５０】
前記スケジューリングサービスは、ＥｒｔＰＳ（Extended Real Time Polling Service）を含み、
前記装置は、前記省電力モードの間に割り当てられた帯域幅の量を減らすために、前記省電力モードに入る前に、リクエストを送信するための手段を含んでいる、
請求項４７の装置。
【請求項５１】
前記省電力モードは、省電力クラス型ＩＩ低電力状態を含んでいる、請求項４７の装置。
【請求項５２】
その上に格納された命令のセットを有するコンピュータ可読媒体を具備する無線デバイスで省電力モードを使用するためのコンピュータプログラムプロダクトであって、
前記命令のセットは、１つ以上のプロセッサによって実行可能であり、
前記命令のセットは、
スケジューリングサービスに従って動作するための命令と、
割り込み可能なサイレンス抑制モードを備えたボイスオーバーインターネットプロトコル（ＶｏＩＰ）呼び出しのための接続を確立するための命令と、
前記接続の確立と同時に、省電力モードに自動的に入るための命令と、
所定条件のセットから選ばれた少なくとも１つの条件が満たされるまで、前記省電力モードを維持するための命令と、
を具備する、コンピュータプログラムプロダクト。
【請求項５３】
前記所定条件のセットは、
前記ＶｏＩＰ呼び出しの終了と、
前記省電力モードから抜け出すために、前記無線デバイス用のリクエストの受信と、
前記省電力モードの間、前記ＶｏＩＰ呼び出しのためのサービス品質（ＱｏＳ）パラメータを満たすことができないことの決定と、
の１つ以上を含んでいる、請求項５２のコンピュータプログラムプロダクト。
【請求項５４】
前記スケジューリングサービスは、ＵＧＳ（Unsolicited Grant Service）を含み、
前記装置は、前記省電力モードの間、帯域幅を割り当てられない、
請求項５２のコンピュータプログラムプロダクト。
【請求項５５】
前記スケジューリングサービスは、ＥｒｔＰＳ（Extended Real Time Polling Service）を含み、
前記命令のセットは、前記省電力モードの間に割り当てられた帯域幅の量を減らすために、前記省電力モードに入る前に、リクエストを送信するための命令を含んでいる、
請求項５２のコンピュータプログラムプロダクト。
【請求項５６】
前記省電力モードは、省電力クラス型ＩＩ低電力状態を含んでいる、請求項５２のコンピュータプログラムプロダクト。
【発明の詳細な説明】
【技術分野】
【０００１】
現開示のある実施形態は、一般に無線通信、特に、ある状況が移動局で検知される場合に、省電力状態に自動的に入ることに関係がある。
【背景】
【０００２】
ＩＥＥＥ８０２．１６下のＯＦＤＭおよびＯＦＤＭＡの無線通信システムは、多数のサブキャリヤの周波数の直交性に基づいたシステムでサービスのための登録された無線デバイス（つまり、移動局）と通信するために、基地局のネットワークを使用し、マルチパスフェージングおよび干渉に対する抵抗のような、広帯域の無線通信のための多くの技術的な利点を達成するために、インプリメントすることができる。各基地局（ＢＳ）は、移動局（ＭＳ）間のデータを伝える無線周波数（ＲＦ）信号を発し受け取る。
【０００３】
ＢＳとＭＳの間のＲＦ信号は、データ、音声またはビデオを伝えるために使用されてもよい。例えば、ボイスオーバーインターネットプロトコル（ＶｏＩＰ）は、音声がＭＳからＢＳに、インターネット上で送信されてもよい１つのアプリケーションである。ＶｏＩＰアプリケーションをサポートするために、いくつかのシステムは、ＶｏＩＰユーザーに帯域幅を定期的に割り当てるために、ＵＧＳ（Unsolicited Grant Service）またはｅｒｔＰＳ（extended real time polling service）を使用する。であるが、ここに使用されるように、ＶｏＩＰ通信は、有線接続を介してもよい。
【０００４】
通常の電話会話では、一般に、全二重帯域幅のわずか約５０％は、どの時間にも使用される。これは、他方が話している間に１人が一般に聞いているからである。あなたが自然なポーズ、呼吸のためのポーズ、およびワード間のポーズがあるという事実にこれを結び付ける場合、会話用の合計の必要な帯域幅は、さらに１０％縮小することができる。これは、使用されていない利用可能な帯域幅の５０−６０％間にあることを意味する。サイレンス抑制技術は、サイレンスのギャップが会話の間にいつあるか検知し、サイレンス中に送信を抑えることにより、この利点を得る。媒体を共有するより少数のパケットが非サイレントのパケットのより一貫した伝送に帰着できるので、このサイレンス抑制は、システム性能を改善することが可能である。
【概要】
【０００５】
ある実施形態は、次のものの１つまたは任意の組合せを含む、無線デバイスで省電力モードを使用する方法を示す：スケジューリングサービスに従って動作すること；サイレンスを検知するために、ボイスオーバーインターネットプロトコル（ＶｏＩＰ）トラフィックをモニタすること；少なくとも検知されたサイレンスに応じて、省電力モードに自動的に入ること；省電力モードに入った後に、非サイレンスを検知するために、ＶｏＩＰトラフィックを定期的に再びモニタすること；少なくとも検知された非サイレンスに応じて、省電力モードから自動的に抜け出すこと。ある実施形態では、無線デバイスは、標準規格のＩＥＥＥ８０２．１６標準群の１つ以上に従ってフレームを使用して通信することができる。また、省電力モードは、標準規格のＩＥＥＥ８０２．１６標準群の１つ以上に従うことができる。
【０００６】
ある実施形態は、次のものの１つまたは任意の組合せを含む、省電力モードを使用するように構成された装置を示す：スケジューリングサービスに従って動作するためのロジック；サイレンスを検知するために、ボイスオーバーインターネットプロトコル（ＶｏＩＰ）トラフィックをモニタするためのロジック；少なくとも検知されたサイレンスに応じて、省電力モードに自動的に入るためのロジック；省電力モードに入った後に、非サイレンスを検知するために、ＶｏＩＰトラフィックを定期的に再びモニタするためのロジック；少なくとも検知された非サイレンスに応じて、省電力モードから自動的に抜け出すためのロジック。ある実施形態では、装置は、標準規格のＩＥＥＥ８０２．１６標準群の１つ以上に従ってフレームを使用して通信するためのロジックを含むことができる。省電力モードは、標準規格のＩＥＥＥ８０２．１６標準群の１つ以上に従うことができる。
【０００７】
ある実施形態は、次のものの１つまたは任意の組合せを含む、省電力モードを使用するように構成された無線通信用の装置を示す：スケジューリングサービスに従って動作するための手段；サイレンスを検知するために、ボイスオーバーインターネットプロトコル（ＶｏＩＰ）トラフィックをモニタするための手段；少なくとも検知されたサイレンスに応じて、省電力モードに自動的に入るための手段；省電力モードに入った後に、非サイレンスを検知するために、ＶｏＩＰトラフィックを定期的に再びモニタするための手段；少なくとも検知された非サイレンスに応じて、省電力モードから自動的に抜け出すための手段。ある実施形態では、装置は、標準規格のＩＥＥＥ８０２．１６標準群の１つ以上に従ってフレームを使用して通信するための手段を含むことができる。省電力モードは、標準規格のＩＥＥＥ８０２．１６標準群の１つ以上に従うことができる。
【０００８】
ある実施形態は、その上に格納された命令のセットを有するコンピュータ可読媒体を具備する無線デバイスで省電力モードを使用するためのコンピュータプログラムプロダクトを示し、命令のセットは、１つ以上のプロセッサによって実行可能であり、命令のセットは、次のものの１つまたは任意の組合せを含む：スケジューリングサービスに従って動作するための命令；サイレンスを検知するために、ボイスオーバーインターネットプロトコル（ＶｏＩＰ）トラフィックをモニタするための命令；少なくとも検知されたサイレンスに応じて、省電力モードに自動的に入るための命令；省電力モードに入った後に、非サイレンスを検知するために、ＶｏＩＰトラフィックを定期的に再びモニタするための命令；少なくとも検知された非サイレンスに応じて、省電力モードから自動的に抜け出すための命令。ある実施形態では、命令のセットは、標準規格のＩＥＥＥ８０２．１６標準群の１つ以上に従ってフレームを使用して通信するための命令を含むことができる。省電力モードは、標準規格のＩＥＥＥ８０２．１６標準群の１つ以上に従うことができる。
【０００９】
ある実施形態は、次のものの１つまたは任意の組合せを含む、無線デバイスで省電力モードを使用する方法を示す：スケジューリングサービスに従って動作する；割り込み可能なサイレンス抑制モードを備えたボイスオーバーインターネットプロトコル（ＶｏＩＰ）呼び出しのための接続を確立する；接続の確立と同時に、省電力モードに自動的に入る；所定条件のセットから選ばれた少なくとも１つの条件が満たされるまで、省電力モードを維持する。ある実施形態では、所定条件のセットは、ＶｏＩＰ呼び出しの終了、省電力モードから抜け出すために、無線デバイス用のリクエストの受信、および省電力モードの間、ＶｏＩＰ呼び出しのためのサービス品質（ＱｏＳ）パラメータを満たすことができないことの決定、を含むことができる。
【００１０】
ある実施形態は、次のものの１つまたは任意の組合せを含む、省電力モードを使用するように構成された装置を示す：スケジューリングサービスに従って動作するためのロジック；割り込み可能なサイレンス抑制モードを備えたボイスオーバーインターネットプロトコル（ＶｏＩＰ）呼び出しのための接続を確立するためのロジック；接続の確立と同時に、省電力モードに自動的に入るためのロジック；所定条件のセットから選ばれた少なくとも１つの条件が満たされるまで、前記省電力モードを維持するためのロジック。ある実施形態では、所定条件のセットは、ＶｏＩＰ呼び出しの終了、省電力モードから抜け出すために、装置用のリクエストの受信、および省電力モードの間、ＶｏＩＰ呼び出しのためのサービス品質（ＱｏＳ）パラメータを満たすことができないことの決定を含むことができる。
【００１１】
ある実施形態は、次のものの１つまたは任意の組合せを含む、省電力モードを使用するように構成された無線通信用の装置を示す：スケジューリングサービスに従って動作するための手段；割り込み可能なサイレンス抑制モードを備えたボイスオーバーインターネットプロトコル（ＶｏＩＰ）呼び出しのための接続を確立するための手段；接続の確立と同時に、省電力モードに自動的に入るための手段；所定条件のセットから選ばれた少なくとも１つの条件が満たされるまで、省電力モードを維持するための手段。ある実施形態では、所定条件のセットは、ＶｏＩＰ呼び出しの終了、省電力モードから抜け出すために、装置用のリクエストの受信、および省電力モードの間、ＶｏＩＰ呼び出しのためのサービス品質（ＱｏＳ）パラメータを満たすことができないことの決定を含むことができる。
【００１２】
ある実施形態は、その上に格納された命令のセットを有するコンピュータ可読媒体を具備する無線デバイスで省電力モードを使用するためのコンピュータプログラムプロダクトを示し、命令のセットは、１つ以上のプロセッサによって実行可能であり、命令のセットは、次のものの１つまたは任意の組合せを含む：スケジューリングサービスに従って動作するための命令；割り込み可能なサイレンス抑制モードを備えたボイスオーバーインターネットプロトコル（ＶｏＩＰ）呼び出しのための接続を確立するための命令；接続の確立と同時に、省電力モードに自動的に入るための命令、および所定条件のセットから選ばれた少なくとも１つの条件が満たされるまで、省電力モードを維持するための命令。ある実施形態では、所定条件のセットは、ＶｏＩＰ呼び出しの終了、省電力モードから抜け出すために、無線デバイス用のリクエストの受信、および省電力モードの間、ＶｏＩＰ呼び出しのためのサービス品質（ＱｏＳ）パラメータを満たすことができないことの決定を含むことができる。 
【図面の簡単な説明】
【００１３】
詳細、さらに詳細な説明、簡単な要約で理解できる現開示の上記の列挙された特徴のやり方は、実施形態の参照によって有することができる。そのいくつかは、添付された図面の中で例証される。しかし、添付された図面がこの開示のある典型的な実施形態だけを例証し、したがって、説明は他の等しい有効な実施形態を認めてもよいため、その範囲を制限して考慮することができないことを言及する。
【図１】図１は、現開示のある実施形態に従って、無線通信システムの例を例証する。
【図２】図２は、現開示のある実施形態に従って、無線デバイスの中で利用されることができる様々なコンポーネントを例証する。
【図３】図３は、現開示のある実施形態に従って、無線通信システム内に使用されることができる送信機および受信機の例を例証する。
【図４】図４は、現開示の実施形態に従って、サイレンスを検知することに応じてスリープモードに入るＭＳの実例動作を例証する。
【図４Ａ】図４Ａは、図４の実例動作に対応する手段のブロックダイヤグラムである。
【図５Ａ】図５Ａは、現開示の実施形態に従って、ＵＧＳサービス品質を提供するＢＳとＭＳの間の交換例を例証する。
【図５Ｂ】図５Ｂは、現開示の実施形態に従って、ｅｒｔＰＳサービス品質を提供するＢＳとＭＳの間の交換例を例証する。
【詳細な説明】
【００１４】
ここに示された技術は、モニタされたＶｏＩＰ送信に基づいてサイレンスを検知する場合、移動局（ＭＳ）が低電力状態に自動的に入ることを可能にする。低電力状態に自動的に入ることは、ＭＳで電力を保存するのを支援できる。さらに、帯域幅がシステム（例えば、ＵＧＳ（Unsolicited Grant Service））でＭＳに自動的に割り当てられる、あるタイプのスケジューリングサービスのために、サイレンスが検知される場合に低電力状態に自動的に入ることは、さらに他のＭＳへの割り当てのための帯域幅の制限を解いてもよい（それは、低電力状態に入るＭＳに割り当てられただろう）。
【００１５】
（典型的な無線通信システム）
現開示の方法および装置は、広帯域無線通信システムで利用されてもよい。ここに使用されるように、用語「広帯域無線」は、一般に、音声、インターネットおよび／または与えられたエリアに関するデータネットワークアクセスのような無線サービスのどんな組合せも提供する技術を指す。
【００１６】
ＷｉＭＡＸ（それは、マイクロ波アクセス用のワールドワイド相互接続を表す）は、長距離以上の高スループット広帯域接続を供給する標準に基づいた広帯域無線技術である。今日ＷｉＭＡＸの２つの主要なアプリケーションがある：固定ＷｉＭＡＸおよびモバイルＷｉＭＡＸ。例えば、固定ＷｉＭＡＸアプリケーションは、家と仕事への広帯域アクセスを可能にする、ポイント・ツー・マルチポイントである。モバイルＷｉＭＡＸは、広帯域速度でセルラーネットワークの十分なモビリティを提示する。
【００１７】
モバイルＷｉＭＡＸは、ＯＦＤＭ（直交周波数分割多重）およびＯＦＤＭＡ（直交周波数分割多元接続）技術に基づく。ＯＦＤＭは、最近様々な高データレート通信システムに幅広い導入を見つけたディジタルマルチキャリヤ変調方式である。ＯＦＤＭで、送信ビットストリームは、マルチプル低レートサブストリームに分割される。各サブストリームは、マルチプル直交サブキャリヤのうちの１つで変調され、複数のパラレルサブチャネルのうちの１つに送られる。ＯＦＤＭＡは、ユーザーが異なるタイムスロットのサブキャリヤを割り当てられるマルチプルアクセス技術である。ＯＦＤＭＡは、幅広く変化するアプリケーション、データ率およびサービス品質必要条件を多くのユーザーに適応することができる柔軟なマルチプルアクセス技術である。
【００１８】
無線インターネットおよび通信の急成長は、無線通信サービスの分野で高データレート用の増加する需要に結びついた。ＯＦＤＭ／ＯＦＤＭＡシステムは、今日最も有望な研究領域のうちの１つ、無線通信の次世代の重要な技術と見なされる。これは、ＯＦＤＭ／ＯＦＤＭＡ変調スキームが、従来のシングルキャリヤ変調スキームに関する、変調効率、スペクトル効率、柔軟性および強いマルチパスイミュニティのような多くの利点を備えることができるという事実による。
【００１９】
ＩＥＥＥ８０２．１６ｘは、固定およびモバイル広帯域無線アクセス（ＢＷＡ）システムのためのエアーインターフェースを定義する新興標準機関（emerging standard organization）である。これらの標準は、少なくとも４つの異なる物理層（ＰＨＹ）および１つの媒体アクセス制御（ＭＡＣ）層を定義する。４つの物理層のＯＦＤＭおよびＯＦＤＭＡ物理層は、それぞれ固定およびモバイルＢＷＡエリアで最もポピュラーなものである。
【００２０】
図１は、本発明の実施形態が使用されることができる無線通信システム１００の例を例証する。無線通信システム１００は、広帯域無線通信システムでもよい。無線通信システム１００は、複数のセル１０２用の通信を提供してもよい。その各々は、基地局１０４によってサービスされる。基地局１０４は、ユーザーターミナル１０６と通信する固定局でもよい。基地局１０４は、代わりに、アクセスポイント、ノードＢまたは他の専門用語で呼ばれてもよい。
【００２１】
図１は、システム１００の全体にわたって分散した様々なユーザーターミナル１０６を描く。ユーザーターミナル１０６は、固定（つまり、定常）またはモバイルされてもよい。ユーザーターミナル１０６は、代わりに、遠隔局、アクセスターミナル、ターミナル、サブスクライバユニット、移動局、ステーション、ユーザー機器などと呼ばれてもよい。ユーザーターミナル１０６は、携帯電話、携帯情報端末（ＰＤＡ）、ハンドヘルド装置、無線モデム、ラップトップコンピュータ、パーソナルコンピュータなどのような無線デバイスでもよい。
【００２２】
様々なアルゴリズムおよび方法は、基地局１０４とユーザーターミナル１０６の間の無線通信システム１００の中で送信に使用されてもよい。例えば、信号は、ＯＦＤＭ／ＯＦＤＭＡ技術に従って基地局１０４とユーザーターミナル１０６の間で送受信されてもよい。その場合、無線通信システム１００は、ＯＦＤＭ／ＯＦＤＭＡシステムと呼ばれてもよい。
【００２３】
基地局１０４からユーザー端末１０６への送信を促進する通信リンクは、ダウンリンク１０８と呼ばれてもよい。また、ユーザー端末１０６から基地局１０４への送信を促進する通信リンクは、アップリンク１１０と呼ばれてもよい。または、ダウンリンク１０８は、フォワードリンクまたはフォワードチャネルと呼ばれてもよい。また、アップリンク１１０は、リバースリンクまたはリバースチャネルと呼ばれてもよい。
【００２４】
セル１０２は、多数のセクタ１１２に分割されてもよい。セクタ１１２は、セル１０２内の物理的なカバレージエリアである。無線通信システム１００内の基地局１０４は、セル１０２の特別のセクタ１１２内のパワーフローを集中するアンテナを利用してもよい。そのようなアンテナは、指向性アンテナと呼ばれてもよい。
【００２５】
図２は、無線通信システム１００内に使用されることができる無線デバイス２０２に利用されてもよい様々なコンポーネントを例証する。無線デバイス２０２は、ここに記述された様々な方法を実現するように構成されてもよいデバイスの例である。無線デバイス２０２は、基地局１０４またはユーザー端末１０６でもよい。
【００２６】
無線デバイス２０２は、無線デバイス２０２の動作を制御するプロセッサ２０４を含んでいてもよい。プロセッサ２０４は、中央処理装置（ＣＰＵ）と呼ばれてもよい。メモリ２０６は、プロセッサ２０４に命令とデータを提供する。メモリ２０６は、読み取り専用メモリ（ＲＯＭ）およびランダムアクセスメモリ（ＲＡＭ）の両方を含んでいてもよい。メモリ２０６の一部は、さらに不揮発性ＲＡＭ（ＮＶＲＡＭ）を含んでいてもよい。プロセッサ２０４は、典型的には、メモリ２０６内に格納されたプログラム命令に基づいた論理演算動作を行なう。メモリ２０６中の命令は、ここに記述された方法を実現するのに実行可能であってもよい。
【００２７】
無線デバイス２０２は、さらに、無線デバイス２０２と遠隔地の間のデータの送信および受信を許可するために、送信機２１０および受信機２１２を含んでもよいハウジング２０８を含んでいてもよい。送信機２１０および受信機２１２は、トランシーバ２１４へ組み込まれてもよい。アンテナ２１６は、ハウジング２０８に取り付けられ、トランシーバ２１４に電気的につながれてもよい。無線デバイス２０２は、さらに、多数の送信機、多数の受信機、多数のトランシーバおよび／または多数のアンテナを含んでもよい（示されない）。
【００２８】
無線デバイス２０２は、さらに、トランシーバ２１４によって受信された信号レベルを検知し計るために使用されてもよい信号検出器２１８を含んでいてもよい。信号検出器２１８は、トータルエネルギー、シンボル当たりのサブキャリヤ当たりのエネルギー、電力スペクトル密度および他の信号のような信号を検知してもよい。無線デバイス２０２は、さらに、信号の処理で使用されるデジタルシグナルプロセッサ（ＤＳＰ）２２０を含んでいてもよい。
【００２９】
無線デバイス２０２の様々なコンポーネントは、バスシステム２２２によってともに連結されてもよい。それは、データバスに加えて、パワーバス、制御信号バスおよびステータス信号バスを含んでいてもよい。
【００３０】
図３は、ＯＦＤＭ／ＯＦＤＭＡを利用する無線通信システム１００内に使用されることができる送信機３０２の例を例証する。送信機３０２の一部は、無線デバイス２０２の送信機２１０にインプリメントされてもよい。送信機３０２は、ダウンリンク１０８上のユーザー端末１０６へデータ３０６を送信するための基地局１０４にインプリメントされてもよい。送信機３０２も、アップリンク１１０上の基地局１０４へデータ３０６を送信するためのユーザー端末１０６にインプリメントされてもよい。
【００３１】
送信されるデータ３０６は、シリアルからパラレルへのコンバータ（Ｓ／Ｐ）３０８に入力として提供されることが示される。Ｓ／Ｐコンバータ３０８は、Ｎパラレルデータストリーム３１０へ送信データを分割してもよい。
【００３２】
その後、Ｎパラレルデータストリーム３１０は、マッパー３１２に入力として提供されてもよい。マッパー３１２は、Ｎコンスタレーションポイント上にパラレルデータストリーム３１０をマッピングしてもよい。マッピングは、２相位相変調（ＢＰＳＫ）、４相位相変調（ＱＰＳＫ）、８相位相変調（８ＰＳＫ）、直交振幅変調（ＱＡＭ）などのような、ある変調コンスタレーションを使用して行われてもよい。したがって、マッパー３１２は、Ｎパラレルシンボルストリーム３１６を出力してもよい。各シンボルストリーム３１６は、高速逆フーリエ変換（ＩＦＦＴ）３２０のＮ直交サブキャリヤのうちの１つに対応する。これらのＮパラレルシンボルストリーム３１６は、周波数領域で表わされ、ＩＦＦＴコンポーネント３２０によってＮパラレル時間領域サンプルストリーム３１８に変換されてもよい。
【００３３】
専門用語に関する簡潔な注釈は今提供されるだろう。周波数領域のＮパラレル変調は、周波数領域のＮ変調シンボルと等しい。それは、周波数領域のＮマッピングおよびＮ−ポイントＩＦＦＴと等しい。それは、時間領域の１つの（有用）ＯＦＤＭシンボルと等しい。それは、時間領域のＮサンプルと等しい。時間領域の１つのＯＦＤＭシンボル（Ｎｓ）は、Ｎｃｐ（ＯＦＤＭシンボル当たりのガードサンプルの数）＋Ｎ（ＯＦＤＭシンボル当たりの有用なサンプルの数）と等しい。
【００３４】
Ｎパラレル時間領域サンプルストリーム３１８は、パラレルからシリアルへのコンバータ（Ｐ／Ｓ）３２４によってＯＦＤＭ／ＯＦＤＭＡシンボルストリーム３２２に変換されてもよい。ガード挿入コンポーネント３２６は、ＯＦＤＭ／ＯＦＤＭＡシンボルストリーム３２２の連続するＯＦＤＭ／ＯＦＤＭＡシンボルの間にガードインターバルを挿入してもよい。その後、ガード挿入コンポーネント３２６の出力は、無線周波数（ＲＦ）フロントエンド３２８によって所望の送信周波数バンドにアップコンバートされてもよい。その後、アンテナ３３０は、生じる信号３３２を送信してもよい。
【００３５】
図３は、さらに、ＯＦＤＭ／ＯＦＤＭＡを利用する無線デバイス２０２内に使用されることができる受信機３０４の例を例証する。受信機３０４の一部は、無線デバイス２０２の受信機２１２にインプリメントされてもよい。受信機３０４は、ダウンリンク１０８上の基地局１０４からデータ３０６を受け取るためのユーザー端末１０６にインプリメントされてもよい。受信機３０４も、アップリンク１１０上のユーザー端末１０６からデータ３０６を受け取るための基地局１０４にインプリメントされてもよい。
【００３６】
送信された信号３３２は、無線チャネル３３４上に巡回することが示される。信号３３２’がアンテナ３３０’によって受信される場合、受信された信号３３２’は、ＲＦフロントエンド３２８’によってベースバンド信号にダウンコンバートされてもよい。その後、ガード削除コンポーネント３２６’は、ガード挿入コンポーネント３２６によってＯＦＤＭ／ＯＦＤＭＡシンボルの間に挿入されたガードインターバルを削除してもよい。
【００３７】
ガード削除コンポーネント３２６’の出力は、Ｓ／Ｐコンバータ３２４’に提供されてもよい。Ｓ／Ｐコンバータ３２４’は、ＯＦＤＭ／ＯＦＤＭＡシンボルストリーム３２２’をＮパラレル時間領域シンボルストリーム３１８’に分割してもよい。その個々は、Ｎ直交サブキャリヤのうちの１つに相当する。高速フーリエ変換（ＦＦＴ）コンポーネント３２０’は、Ｎパラレル時間領域シンボルストリーム３１８’を周波数領域に変換し、Ｎパラレル周波数領域シンボルストリーム３１６’を出力してもよい。
【００３８】
デマッパー３１２’は、マッパー３１２によって実行され、それによってＮパラレルデータストリーム３１０’を出力する、シンボルマッピング動作の逆を行なってもよい。Ｐ／Ｓコンバータ３０８’は、単一データストリーム３０６’にＮパラレルデータストリーム３１０’を組み合わせてもよい。理想的には、このデータストリーム３０６’は、送信機３０２に入力として提供されたデータ３０６に相当する。エレメント３０８’、３１０’、３１２’、３１６’、３２０’、３１８’および３２４’は、ベースバンドプロセッサ３４０’に全て備えられてもよいことを言及する。 
（省電力モードの自動活性化）
上述するように、ボイスオーバーインターネットプロトコル（ＶｏＩＰ）は、ＭＳからＢＳへ、その後インターネット上に音声を伝送するために、ＷｉＭＡＸネットワークを使用するアプリケーションの１つである。ＶｏＩＰアプリケーションをサポートするために、ＷｉＭＡＸは、ＶｏＩＰユーザーに固定帯域幅を定期的に割り当てるために、ＵＧＳ（Unsolicited Grant Service）を利用してもよい。すでに言及したが、たいてい、少なくとも断続的（on one end）に、サイレンスに相当するＶｏＩＰ会話の十分な割合がある。
【００３９】
ここに示された技術は、サイレンスの期間が検知される場合、ＭＳが省電力モードに自動的に入ることを可能にする。ある実施形態については、省電力モードに自動的に入ることは、サイレンス抑制の強化として行なわれてもよい。ＭＳの省電力に加えて、いくつかの状況で、ここに示されるような省電力モードに自動的に入ることは、さらに、全体的なシステムの性能を改善することを助けてもよい。例えば、省電力モードにおけるＭＳを備えた、ＢＳは、さらに、システムで他のＭＳへの割り当てのためのＭＳに、そうでなければ割り当てられていただろう帯域幅を、回復することができてもよい。
【００４０】
消費電力は、最もモバイルデバイス中で関係であるので、いくつかの省電力仕様は、８０２．１６ｅ標準に記述された。例えば、省電力クラス型ＩＩ（ＰＳＣ−ＩＩ：Power Saving Class Type II）は、８０２．１６ｅ標準に記述される。実質的には、ＰＳＣ−ＩＩモードは、リスニングウィンドウ中に活性化用のモニタをするために、期間および定期的なウェイクアップためのスリープウィンドウにＭＳが入ることを可能にする。リスニングウィンドウ中に、ＭＳは、再びスリープに戻る前に、受信または送信するトラフィックがあるかどうかを判断してもよい。
【００４１】
ある実施形態によれば、サイレンスの期間が検知される場合、ＭＳは、ＰＳＣ−ＩＩモードに自動的に入ってもよい。ＭＳは、多くの条件のうちのいずれかの発生で、ＰＳＣ−ＩＩモード（そして通常動作に戻る）を自動的に出てもよい。例えば、ＶｏＩＰ呼び出しが終わる時、ＰＳＣ−ＩＩモードを抜け出すためにＭＳ用のＢＳからのリクエストの受信で、または、ＰＳＣ−ＩＩが活性化される間にＶｏＩＰのＱｏＳパラメータが満たすことができないことをＭＳが決定する場合、ＭＳは、ＰＳＣ−ＩＩモードを抜け出てもよい。通常動作に戻った後に、ＶｏＩＰのＱｏＳパラメータがまだ満たされない場合、ＭＳは、追加の帯域幅を要求するために、８０２．１６標準で述べられた手順に従ってもよい。
【００４２】
ある実施形態については、割り込み可能なサイレンス抑制特徴を有する、ＶｏＩＰ接続が確立される場合、ＭＳは、ＰＳＣ−ＩＩ省電力モードに自動的に入ってもよい。ＶｏＩＰ呼び出しが取られるとすぐにＰＳＣ−ＩＩを自動的に活性化することは、サイレンスの期間が検知されるたびに、ＰＳＣ−ＩＩ活性化を要求するオーバーヘッドを減少してもよい。そのような実施形態のために、ＭＳが、ＶｏＩＰ用のＱｏＳ要求を満たすために、十分なデータパケットを送受信することができる限り、ＭＳは、ＰＳＣ−ＩＩモードのままであってもよい。
【００４３】
図４は、そのような実施形態に従ってＭＳが行なう実例動作４００を例証する。実例動作は、特定の例としてＰＳＣ−ＩＩを含んでいるが、当業者は、省電力モードの異なるタイプを自動的に活性化するために、同様の技術が利用されてもよいことを理解するだろう。さらに、動作は、サイレンスの検知に応じてＰＳＣ−ＩＩモードを活性化することを記述しているが、割り込み可能なサイレンス抑制を備えたＶｏＩＰ接続が確立される場合、ＰＳＣ−ＩＩモードも自動的に活性化されてもよい。
【００４４】
動作４００は、４０２において、ＶｏＩＰトラフィックのモニタにより始まる。例えば、モニタされたＶｏＩＰトラフィックの出力に基づいて、サイレンスの期間があってもなくても、ＭＳは４０４で決定する。サイレンスの期間は、ＭＳが音声トラフィック（例えば、相手が話す）または自然パルス（例えば、ブレスおよびワード間用のパルス）を受信している１つ以上の固定期間に相当してもよい。ＭＳがサイレンスを検知しなければ、ＶｏＩＰトラフィックをモニタする間、通常動作を継続してもよい。
【００４５】
他方では、サイレンスが検知される場合、４０６で例証されるように、ＭＳは、ＰＳＣ−ＩＩスリープモードを自動的に活性化してもよく、時間の固定期間の間、スリープのままだろう。活性化プロセスの一部として、ＭＳは、ＢＳにスリープリクエストを送信してもよい。また、ＭＳは、ＢＳからのレスポンスを受け取る上でＰＳＣ−ＩＩモードに実際に入ってもよい。この交渉中に、スリープウィンドウのサイズおよびリスニングウィンドウのような様々なパラメータは、定められてもよい。ＭＳがスリープに入る時にＢＳが通知を受けるので、ＵＧＳデータ割り当てメカニズムがそのように要求するときでさえ、ＢＳは、スリープウィンドウ中にＭＳへの帯域幅割り当てを予定しないだろう。
【００４６】
定期的に、ＭＳは、４０８において、ウェイクアップし、期間にリスニングしてもよい。リスニングすることは、スリープウィンドウ間の固定のリスニングウィンドウ中に生じてもよい。それは、固定または変化してもよい（例えば、指数関数的に成長すること（growing exponentially）によって）。４１０で、ＭＳは、非サイレンスがリスニングウィンドウ中に検知されたかどうかを判断するだろう。非サイレンスは、例えば、ＭＳのユーザーによって会話の参加の再開に相当してもよい。非サイレンスは、さらに、待ちデータトラヒックを示すＢＳからの信号、待ちデータトラヒックを含んでいるＢＳからの信号または他のあるタイプの信号の受信に相当してもよい。ＭＳが非サイレンスイベントを検知しない場合、または、言いかえれば、ＭＳがサイレンスを検知し続ける場合、４１２で例証されるように、ＭＳは、別のスリープウィンドウに入り、その後、ステップ４０８および４１０を繰り返してもよい。
【００４７】
他方では、ＭＳが非サイレンスを検知する場合、ＭＳは、ＰＳＣ−ＩＩスリープモードを速やかに非活性化し、通常動作を再開してもよい。ＭＳは、サイレンスのためにモニタを継続し、サイレンスが検知される場合、省電力モードに再び自動的に入ってもよい。図４で示される動作４００は、ＵＧＳまたはｅｒｔＰＳ  ＱｏＳモードのような様々なサービス品質（ＱｏＳ）モードで動作する場合、ＭＳによって行なわれてもよい。ＵＧＳの場合に、省電力モードに自動的に入ることは、帯域幅の制限を解くことによってシステム性能を改善するかもしれない。そうでなければ、サイレンスを検知した後、それは、ＭＳに通信を抑制することを無駄に割り当てられていただろう。
【００４８】
図５Ａは、ある実施形態に従って、サイレンスイベントを検知した後にＵＧＳサービス品質（ＱｏＳ）を提供するＢＳとＰＳＣ−ＩＩスリープモードに入るＭＳとの間に生じてもよい通信交換の例を例証する。例証された例において、通常動作は、ＢＳとＭＳの間のＶｏＩＰ交換５１０で示される。定期的に、ＢＳは、利用可能なＢＷの合計、サービスフローの特定のスケジューリングポリシ、サービスフローＱｏＳパラメータ、接続エアリンク品質、または、当業者に知られた他の基準に基づいて、それが役立つ様々なＭＳの間で、帯域幅（ＢＷ）５２０を割り当ててもよい。
【００４９】
ある時点では、５５２で示されるように、ＭＳは、サイレンスを検知してもよい。サイレンスの検出に応じて、ＭＳは、ＢＳにスリープリクエスト５３２を速やかに送信してもよい。リクエストに応答するＢＳからスリープレスポンス５３４を受け取った後に、ＭＳは、ＰＳＣ−ＩＩスリープモードに入り、スリープウィンドウ５３０中にあるコンポーネントをパワーダウンしてもよい。ＭＳからスリープリクエスト５３２を受け取った後に、たとえ、ＵＧＳデータ割り込みメカニズムが、そうするためにＢＳに別に要求され、ＶｏＩＰ接続を与えられたとしても、ＢＳは、スリーピングＭＳにＢＷを割り当てないだろう。したがって、５２０’で示されるように、スリーピングＭＳに別に割り当てられていただろうこの帯域幅は、システムで他のＭＳに割り当てられてもよい。それは、全体的なシステムの性能を助けることができる。
【００５０】
一定間隔で、ＭＳは、スリープからウェイクアップし、非サイレンスを検知するために、ＭＳがトラフィックをモニタするリスニングウィンドウ５４０を入ってもよい。非サイレンスが検知されない場合、ＭＳは、サイレンス期間５５０の間スリープウィンドウ５３０を入り続けてもよい。ある時点では、ＭＳは、リスニングウィンドウ中に非サイレンスを検知してもよい。例えば、ＭＳは、サイレンスの期間の後に、モバイルユーザーが会話で話すことを再開したことを示すトラヒックの出力を検知してもよい。非サイレンスが検知される場合、５５４で、後のリスニングウィンドウ５４０中に、ＭＳは、ＰＳＣ−ＩＩスリープモードを速やかに出て、通常動作を再開してもよい。次のＢＳ  ＢＷ割り当て期間５２０に、ＢＳは、ＭＳに帯域幅を割り当ててもよい。そのポイントでは、ＭＳは、ＶｏＩＰデータ交換５１０を再開してもよい。
【００５１】
本発明の実施形態に従う方法を使用することによって、ＭＳは、ＭＳがチャージングサイクル間に動作する時間を拡張する省電力をしてもよい。さらに、ネットワーク提供ＵＧＳ  ＱｏＳの中で利用された時、ＭＳがスリープモードでいる間、ＭＳは、ＢＳがそれにＢＷを不必要に割り当てるのを防いでもよい。同時に、ＵＧＳ  ＢＷ割り当てメカニズムの使用は、ＢＷを要求するオーバーヘッドを著しく減少してもよいし、それによって、システムがより多くのＶｏＩＰユーザーをサポートすることを可能にする。
【００５２】
ＵＧＳを備えたような、ｅｒｔＰＳ（extended real time polling service）で、ＢＳは、ＭＳに固定帯域幅を定期的に割り当てる。しかしながら、帯域幅リクエストによってＵＧＳの中の割り当てサイズの変更を許可している間、ＭＳは、割り当てサイズを変更する帯域幅リクエストを送ることができる。ＭＳは、０の帯域幅に割り当てられることを要求してもよい。また、これを受けて、ＢＳは、ＭＳに帯域幅を割り当てるのを止めてもよい。ＭＳが再び帯域幅を要求する場合、コンテンション帯域幅リクエストは、ＢＳに送られてもよい（ＭＳに割り当てられた利用可能な帯域幅を仮定せずに）、または、異なる接続、帯域幅リクエストメッセージ／ヘッダーに割り当てられた利用可能な帯域幅の場合には、ＢＳに送られてもよい。
【００５３】
図５Ｂは、ｅｒｔＰＳ  ＱｏＳを提供するＢＳの間に生じてもよい通信交換の例を例証する。例証された例において、ある実施形態に従って、ＭＳは、サイレンスを検知した後に、ＰＳＣ−ＩＩスリープモードに自動的に入るように構成される。ｅｒｔＰＳ（extended real time polling service）で、ＢＳは、ＢＷ５２０を定期的に割り当てる。 
ＢＷに割り当てられた後に、ＭＳおよびＢＳは、ＶｏＩＰデータ５１０を交換してもよい。ある時点では、ＭＳは、サイレンスイベント５５２を検知してもよい。前の例のように、その後、ＭＳは、スリープリクエスト５３２を送信し、レスポンスメッセージ５３４のフォームの応答を受信してもよい。しかしながら、スリープリクエストを送る前に、ある実施形態については、ＭＳは、さらに、ＢＳに０の帯域幅リクエスト５２２を送信してもよい。それは、ＭＳに割り当てられた帯域幅の制限を解いてもよい。これを受けて、ＢＳは、後のＢＷ割り当て５２０’中のＭＳに帯域幅を割り当てるのを止めてもよい。
【００５４】
上記のＵＧＳの例のように、ＭＳは、定期的にウェイクアップし、リスニングウィンドウ５４０に入り、スリープウィンドウ５３０に入ってもよい。５５４で非サイレンスを検知した後に、ＭＳは、ＰＳＣ−ＩＩモードを速やかに出てもよい。この時に、ＭＳは、再び帯域幅を要求してもよいし、ゼロ帯域幅割り当ておよび要求帯域幅（例えば、コンテンション帯域幅リクエストによって）を修正するために帯域幅リクエスト５１８を送信してもよい。言いかえれば、サイレンスが検知される時、ＭＳが帯域幅割り当てを０に減少することを決める場合、ＭＳは、非サイレンスが検知された後、オリジナルの帯域幅割り当てを再開するために、コンテンション帯域幅リクエストを送る必要があってもよい。
【００５５】
上記の記述は、ある実施形態に関して、サイレンスが検知される場合、０帯域幅リクエストを送るＭＳの可能性を示しているが、ＭＳは、０帯域幅リクエストを送らなくてもよいが、他のある行為または非行為をとることを決めてもよい。例えば、ＭＳは、変更がない（サイレンスが検知される場合のその現在状況に）ように、ｅｒｔＰＳ帯域幅割り当てを残すことを決めてもよい。そのような場合では、ＭＳは、非サイレンスが検知される場合に、オリジナルの割り当てを再開するためには、任意のタイプの帯域幅リクエストを送る必要はない。
【００５６】
別の例として、ＭＳは、帯域幅リクエストによって、帯域幅割り当てを任意の０でない割り当て量にすることに決めてもよい。そのような場合に、非サイレンスが検知される場合、ＭＳは、コンテンション帯域幅リクエストのないオリジナルの割り当てを再開するために、縮小された割り当てを備えた帯域幅リクエストを送ってもよい。
【００５７】
すでに記述されたように、ある実施形態については、ＶｏＩＰ接続が確立されるとともに、ＰＳＣ−ＩＩは活性化されてもよい。そのような実施形態では、ＭＳは、非サイレンス期間中に送受信してもよい。ｅｒｔＰＳについては、サイレンス期間中に、ＭＳは、低減された帯域幅を要求するのではなく、帯域幅割り当てを全く無視してもよい。ＭＳがサイレンス期間から非サイレンス期間へ移行する場合、前述の条件のうちの１つを満たす（例えば、ＶｏＩＰ呼び出しが終了する、ＭＳがＰＳＣ−ＩＩを出ることをＢＳがリクエスする、または、ＱｏＳパラメータを満たすことができない）まで、ＰＳＣ−ＩＩは今もなお使用することができる。この状況で、帯域幅を縮小するリクエストが送られなかったと仮定して、割り当てられた帯域幅を増加させるために再び帯域幅リクエストを送る必要はない。
【００５８】
上に記述された方法の種々の動作は、図の中で例証されたミーンズプラスファンクションブロックに対応する、様々なハードウェアおよび／またはソフトウエアコンポーネントおよび／またはモジュールによって行なわれてもよい。一般に、ミーンズプラスファンクションに対応する相当物、類似した番号付けを備えたミーンズプラスファンクションブロックに相当する動作ブロックを有する図の中で例証した方法がある。例えば、図４の中で例証されたブロック４０２−４１４は、図４Ａの中で例証されたミーンズプラスファンクションブロック４０２Ａ−４１４Ａに相当する。 
ここに使用されたように、用語「決定（determining）」は、多種多様のアクションを包含する。例えば、「決定」は、計算（calculating）、計算（computing）、処理（processing）、由来（deriving）、調査（investigating）、ルックアップ（looking up）（例えば、テーブル、データテーブルまたは別のデータ構造でのルックアップ）、確認（ascertaining）などを含んでいてもよい。さらに、「決定」は、受信（receiving）（例えば、情報の受信)、アクセス（accessing）（例えば、メモリ内でのデータのアクセス)などを含んでいてもよい。さらに、「決定」は、決意（resolving）、選択（selecting）、選択（choosing）、設定（establishing）などを含んでいてもよい。
【００５９】
情報と信号は、様々な異なるテクノロジおよびテクニックのうちのどれでも使用して表わされてもよい。例えば、上記の記述の全体にわたって参照されてもよい、データ、命令、コマンド、情報、信号などは、電圧、電流、電磁波、磁場または磁性粒子、光学場または光粒子、またはそれらの任意の組合せによって表わされてもよい。
【００６０】
現開示に関して記述された、様々な実例となる論理ブロック、モジュールおよび回路は、ここで説明された機能を果たすように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタロジック、ディスクリートハードウェアコンポーネント、又はそのあらゆる組合せとともに、実装又は実行されてもよい。汎用プロセッサは、マイクロプロセッサでもよいが、代案では、プロセッサは、任意の市販のプロセッサ、コントローラ、マイクロコントローラまたはステートマシンでもよい。プロセッサは、計算装置の組合せ、例えば、ＤＳＰとマイクロプロセッサの組合せ、複数のマイクロプロセッサの組合せ、ＤＳＰコアと関連する１以上のマイクロプロセッサの組合せ、または他のそのような構成の組合せ、としてインプリメントされてもよい。
【００６１】
現開示に関して記述された方法またはアルゴリズムのステップは、ハードウェア、プロセッサによって実行されたソフトウェアモジュール、または２つの組合せで直接具現化されてもよい。ソフトウェアモジュールは、当業者において知られている記憶媒体の任意の形式に存在してもよい。ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、取外し可能ディスク、ＣＤ−ＲＯＭなどを含む、記憶媒体のいくつかの例は、使用されてもよい。ソフトウェアモジュールは、単一命令または多くの命令を具備してもよく、いくつかの異なるコードセグメント上に、異なるプログラム間に、および多数の記憶媒体を渡って割り当てられてもよい。記憶媒体は、プロセッサが記憶媒体から情報を読見出し、記憶媒体に情報を書き込むことができるようなプロセッサにつながれてもよい。代案では、記憶媒体は、プロセッサに集積されてもよい。
【００６２】
ここに示された方法は、上記方法を達成するための１以上のステップまたはアクションを含む。方法のステップおよび／またはアクションは、請求項の範囲から逸脱せずに、互い交換されてもよい。言いかえれば、ステップまたはアクションの特定の順序が指定されなければ、順序および／または特定のステップおよび／またはアクションの使用は、請求項の範囲から逸脱せずに修正されてもよい。
【００６３】
記述された機能は、ハードウェア、ソフトウェア、ファームウェアまたはそれらの任意の組合せ中でインプリメントされてもよい。ソフトウェア中でインプリメントされる場合、機能は、コンピュータ可読媒体または記憶媒体上に、命令または１つ以上の命令のセットとして格納されてもよい。記憶媒体は、コンピュータまたは１つ以上の制御演算装置によってアクセスすることができるあらゆる利用可能な媒体でもよい。制限することなく、一例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、または、命令またはデータ構造の形式で所望のプログラムコードを搬送または格納するために使用することができおよびコンピュータによってアクセス可能である他の媒体を具備することができる。ここにおいて用いられるディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光学ディスク（ｄｉｓｃ）、ディジタルバーサタイルディスク（ｄｉｓｃ）（ＤＶＤ）、フロッピー（登録商標）ディスク（ｄｉｓｋ）、ブルーレイディスク（登録商標）（ｄｉｓｃ）を含む。ここで、ｄｉｓｋは、通常はデータを磁気的に再生し、ｄｉｓｃは、レーザーによって光学的にデータを再生する。
【００６４】
ソフトウェアまたは命令は、送信媒体を通して通信されてもよい。例えば、ソフトウェアが、同軸ケーブル、光ファイバケーブル、より対線、デジタル加入者ライン（ＤＳＬ）、または無線技術、例えば赤外線、無線およびマイクロ波、を用いて、ウェブサイト、サーバ、またはその他の遠隔ソースから送信される場合は、その同軸ケーブル、光ファイバケーブル、より対線、ＤＳＬ、または無線技術、例えば赤外線、無線、およびマイクロ波は、媒体の定義の中に含まれる。
【００６５】
さらに、ここに記述された方法と技術を行なうためのモジュールおよび／または他の適切な手段は、ダウンロードでき、別な適用可能なものとしてユーザー端末および／または基地局によって得ることができることは認識されるべきである。例えば、そのようなデバイスは、ここに記述された方法を行なうための手段の転送を促進するためにサーバにつなぐことができる。または、ここに記述された様々な方法は、記憶手段（例えば、ＲＡＭ、ＲＯＭ、コンパクトディスク（ＣＤ）またはフロッピーディスクのような物理的な記憶媒体など）によって提供することができる。そのような、ユーザー端末および／または基地局は、デバイスに記憶手段をつなぐまたは提供する様々な方法を得ることができる。さらに、ここに記述された方法および技術の提供のためにふさわしい他の技術は、デバイスにも利用することができる。
【００６６】
上に例証された明確な構成およびコンポーネントに請求項が限定されていないことは理解されることになっている。様々な修正、変更および変化は、請求項の範囲から逸脱せずに、上に記述された方法および装置の配置、動作および詳細な記述でなされてもよい。
【図１】
2011523543.tif 000003
【図２】
2011523543.tif 000004
【図３】
2011523543.tif 000005
【図４】
2011523543.tif 000006
【図４Ａ】
2011523543.tif 000007
【図５Ａ】
2011523543.tif 000008
【図５Ｂ】
2011523543.tif 000009
【国際調査報告】
2011523543.tif 000010
2011523543.tif 000011
2011523543.tif 000012
2011523543.tif 000013
2011523543.tif 000014